(57)【特許請求の範囲】
【請求項１】
回転ベゼル（１）を有し、回転ベゼル（１）が腕時計ケースの平面に対して、概ね垂直方向に移動可能な構造を有し、垂直方向の移動範囲の複数の停止点で回転ベゼル（１）の回転機能が異なる回転機構を円周に有する回転規制リング（４）を回転ベゼル（１）とケース胴（２）の間に配置することにより可能とした、回転ベゼル付き腕時計ケースにおいて、回転規制リング（４）の円周を任意に分割し、ベゼル回転機能の異なる複数の回転機構を、平面的に交互に配置したことを特徴とする回転規制リング（４）を有する回転ベゼル付き腕時計ケース。
【請求項２】
請求項１において、回転規制リング（４）に平面的に交互に配置されたベゼル回転機能の異なる複数の回転機構を、平面方向に対して上面、および下面に配置した回転規制リング（４）を有する回転ベゼル付き腕時計ケース。
【発明の詳細な説明】
【０００１】
【発明の属する技術分野】
本発明は、回転ベゼル付き腕時計ケースに関するものである。
【０００２】
【従来の技術】
従来の回転ベゼルを装着した腕時計ケースは、回転ベゼルを回転させることは可能であった。しかし、回転ベゼルを垂直方向に移動させることはできなかった。
【０００３】
【発明が解決しようとする課題】
従来の回転ベゼルを装着した腕時計ケースは、下記のような問題点がある。
（１）：回転ベゼルを回転させる機能は有するものの、回転ベゼルの停止状態での安定性を確保するために、ベゼル回転トルクは重くなくてはならなかった。
（２）：（１）により回転ベゼルの表面には大きな凹凸形状を構成せざるを得  なかった。
（３）：回転ベゼルを指で操作する際、指が痛くなってしまう。
【０００４】
本発明では、前記問題点を解消し、回転ベゼルの停止状態での安定性は確保しつつ、重い回転トルクや回転ベゼル表面の凹凸形状が必要のない、回しやすい回転ベゼルを装着した腕時計ケースの提供を課題とする。
【０００５】
【課題を解決するための手段】
回転ベゼルが、腕時計ケースの平面に対して概ね垂直方向に移動可能な機能を有する構造とし、垂直方向の移動範囲の複数の停止点、つまり回転の停止安定性確保のための停止点と、回転ベゼルを回転させるための停止点に分割する。これによって 回転ベゼルが回転可能な状態である場合は、回転トルクを極小化させることが可能となる。
【０００６】
本発明によれば、回転の停止安定性確保のための停止点では回転ベゼルに施した歯車状の凹凸が、回転規制リングの凹凸状歯車の回転規制部に係合して、確実に回転を規制し、回転させるための停止点では、回転規制リングの回転規制部から係合が解除され、回転トルクは極小化される。
【０００７】
【発明の実施の形態】
本発明の実施の形態について、添付の図面を参照して以下に説明する。
【０００８】
本発明は、第1図に示すように、度当たり段差１１、位置決め弾性体５を保持した位置決め溝１２、平面形状に対して任意に分割された歯車状凹凸部１３を有する回転ベゼル１と、ベゼル度当たり面２６、位置決め突起２５を有するケース胴２と、回転止め穴２３に係合する回転止めダボ４３、歯車状凹凸部１３に対応する回転規制部４１を有しケース胴２に固定された回転規制リング４、によって構成される。
【０００９】
第１図は、回転ベゼル底面１４がケース胴２の回転ベゼル受け面２１に接した状態を示しており、この状態を下位停止点とする。回転ベゼル１の位置決め溝１２によって保持された位置決め弾性体５と、ケース胴２の位置決め突起２５によって、回転ベゼル１は下位停止点に停止することができる。
【００１０】
回転規制リング４の有する回転止めダボ４３が、ケース胴２にあけられた単数もしくは複数の回転止め穴２３と係合することによって、回転規制リング４は回転しない。この時、回転ベゼル１の歯車状凹凸部１３とケース胴２に固定された回転規制リング４の回転規制部４１とが係合することによって、回転ベゼル１は停止安定性が確保され、回転しない。
【００１１】
ケース胴２に固定された回転規制リング４の回転規制部４１は、単数もしくは複数個所とする。
【００１２】
ケース胴２の固定溝２４にはめ込まれたガタ止め弾性体６と回転ベゼル１の弾性体接触面１５が接触することによって、回転ベゼル１の停止安定性はさらに確保される。
【００１３】
第２図は、指掛け斜面１６に指を掛け、回転ベゼル１を垂直方向に引き動かすことにより、回転ベゼル１の位置決め溝１２によって保持された位置決め弾性体５がたわみ、ケース胴２の位置決め突起２５を乗り越えた状態を示している。
この時 回転ベゼル１の位置決め溝１２によって保持された位置決め弾性体５が、ケース胴２の位置決め突起上斜面２７と干渉することによって、回転ベゼル１は上位停止点に停止することができ、上位停止点において回転ベゼル１を安定して回転させることができる。
【００１４】
この状態では、回転ベゼル１の歯車状凹凸部１３と、ケース胴２に固定された回転規制リング４の回転規制部４１との係合が完全に解除され、回転ベゼル１は自由に回転することができる。
【００１５】
回転ベゼル１を上位停止点に移動させる際、ケース胴２に固定された回転規制リング４が、回転ベゼル１とともに上位停止点に移動しないように、回転規制リング４は抜け防止突起４２を有している。回転規制リング４の抜け防止突起４２と、ケース胴２の円周溝上面壁２２が干渉することによって、回転規制リング４は上位停止点に移動しない。
【００１６】
上位停止点において、回転ベゼル１の歯車状凹凸部１３の歯車凹部１７と、ケース胴２に固定された回転規制リング４のクリック弾性部４４に設けられたクリック弾性突起４５が噛み合う。
【００１７】
回転ベゼル１を回転させると、回転規制リング４のクリック弾性部４４に設けられたクリック弾性突起４５が、回転力によって放射方向に移動し、歯車状凹凸部（１３）に間欠的に干渉することによって、回転ベゼル１にクリック感を与える。
【００１８】
回転規制リング４の回転規制部４１とクリック弾性突起４５は、平面に対して交互に配置される。
【００１９】
また、回転規制リング４の回転規制部４１とクリック弾性突起４５は、平面方向に対して上面、および下面に配置される。
回転規制リング４のクリック弾性部４４、及びクリック弾性突起４５は、単数もしくは複数個所とする。
【００２０】
回転ベゼル１を上位方向に移動させた際、回転ベゼル１が、ケース胴２から外れてしまわないように、回転ベゼル１は度当たり段差１１を、またケース胴２はベゼル度当たり部２６を有している。
【００２１】
【発明の効果】
この発明では、上述のように、回転ベゼル１を下位停止点に位置させた時は、歯車状凹凸部１３が回転規制リング４の回転規制部４１と係合して回転ベゼル１は回転できず、回転ベゼル１を上位停止点に位置させた時は、歯車状凹凸部１３と回転規制リング４の回転規制部４１との噛み合いが解除され、回転ベゼル１は自由に回転できるという、停止部位によって回転ベゼル１の回転気機能が異なる腕時計ケースの回転ベゼル構造を実現することができた。
【００２２】
この結果、垂直方向に部位変化のない従来の回転ベゼル構造において、停止安定性と回転作動性を共有させた結果、回転ベゼルの回転トルクは重くする必要があり、回転ベゼルを指で回転作動させる際に十分な回転トルクが得られるように、回転ベゼルの表面や外周部に、凹凸形状を施すことが必然となっていた現状に対し、回転ベゼルの表面や外周部に凹凸形状を施さずとも停止安定性と回転作動性の保証された回転ベゼル付きの腕時計ケースが実現でき、また回転トルクを極小化できるため、回転作動時に指が痛くなることもない。また凹凸形状が必要であった回転ベゼルのデザイン制約を解消し、デザイン自由度を拡大できた効果は大きい。
【００２３】
第５図に示すように、回転ベゼル１を上位停止点に位置させた状態で歯車形状凹凸部１３と、クリック弾性部４４に設けられたクリック弾性突起４５とによって軽微な干渉を生じさせ、回転ベゼル１の自由回転にクリック感をもたせることが可能である。
【図面の簡単な説明】
【図１】本発明の回転ベゼル下位停止点の主要構造部分断面図である。
【図２】本発明の回転ベゼル上位停止点の主要構造部分断面図である。
【図３】本発明の回転ベゼル下位停止点の主要構造部分断面図である。
【図４】本発明の回転ベゼル下位停止点のＡ−Ａ‘矢視方向部分断面図である。
【図５】本発明の回転ベゼル上位停止点の主要構造部分断面図である。
【図６】本発明の回転ベゼル上位停止点のＢ−Ｂ‘矢視方向部分断面図である。
【図７】本発明のリング弾性体部品の平面図である。
【図８】従来の回転ベゼルの主要構造部分断面図である。
【符号の説明】
１  ：回転ベゼル
１１  ：度当たり段差
１２  ：位置決め溝
１３  ：歯車状凹凸部
１４  ：回転ベゼル底面
１５  ：弾性体接触面
１６  ：指掛け斜面
１７  ：歯車凹部
１８  ：歯車凸部
２  ：ケース胴
２１  ：回転ベゼル受け面
２２  ：円周溝上面壁
２３  ：回転止め穴
２４  ：固定溝
２５  ：位置決め突起
２６  ：ベゼル度当たり面
２７  ：位置決め突起上斜面
３  ：ガラス
４  ：回転規制リング
４１  ：回転規制部
４２  ：抜け防止突起
４３  ：回転止めダボ
４４  ：クリック弾性部
４５  ：クリック弾性突起
５  ：位置決め弾性体
６  ：ガタ止め弾性体
【図１】
0003712911.tif 000002
【図２】
0003712911.tif 000003
【図３】
0003712911.tif 000004
【図４】
0003712911.tif 000005
【図５】
0003712911.tif 000006
【図６】
0003712911.tif 000007
【図７】
0003712911.tif 000008
【図８】
0003712911.tif 000009